(57)【要約】【課題】ヒートポンプ式給湯機の搬送性と設置性の向上を図ることを目的とする。【解決手段】ヒートポンプ式給湯機は、第１圧縮機１，第１水−冷媒熱交換器２，第１減圧弁３，第１空気−冷媒熱交換器４などで構成する第１冷凍サイクルを収納した第１のユニット３１と、第２圧縮機６，第２水−冷媒熱交換器７，第２減圧弁８，第２空気−冷媒熱交換器９などで構成する第２冷凍サイクルを収納した第２のユニット３２と、貯湯タンク１１，混合弁１２，電磁弁１３，給湯用循環ポンプ１４，風呂追炊き用循環ポンプ１５などで構成するタンク回路を収納した第３のユニット３３との、３個のユニットに分割したものである。【選択図】        図３
2005090815.tif 000002
【特許請求の範囲】
【請求項１】
圧縮機，水−冷媒熱交換器，減圧弁，及び空気−冷媒熱交換器を環状に接続した冷媒回路に冷媒を充填して構成された冷凍サイクルを２回路有し、かつ、貯湯タンク，混合弁，電磁弁，及び循環ポンプを接続して構成されたタンク回路を具備したヒートポンプ式給湯機であって、２つの前記冷凍サイクルと前記タンク回路とを３個のユニットに分割して構成したことを特徴とするヒートポンプ式給湯機。
【請求項２】
３個の前記ユニットを、一方の前記冷凍サイクルを収納した第１のユニットと、他方の前記冷凍サイクルを収納した第２のユニットと、前記タンク回路を収納した第３のユニットとで構成したことを特徴とする請求項１に記載のヒートポンプ式給湯機。
【請求項３】
３個の前記ユニットを、一体化して設置可能とする構造にしたことを特徴とする請求項１または請求項２に記載のヒートポンプ式給湯機。
【請求項４】
３個の前記ユニットを、積重ねて設置可能とする構造にしたことを特徴とする請求項３に記載のヒートポンプ式給湯機。
【請求項５】
３個の前記ユニットのうち前記タンク回路を収納したユニットを、最下段に配置可能とする構造にしたことを特徴とする請求項４に記載のヒートポンプ式給湯機。
【請求項６】
３個の前記ユニットのうち前記タンク回路を収納したユニットを、縦置き設置または横置き設置可能とする構造にしたことを特徴とする請求項３に記載のヒートポンプ式給湯機。
【請求項７】
タンク回路を収納したユニットを、増設設置できる構造としたことを特徴とする請求項１から請求項６のいずれかに記載のヒートポンプ式給湯機。
【請求項８】
前記冷媒として二酸化炭素を充填したことを特徴とする請求項１から請求項７のいずれかに記載のヒートポンプ式給湯機。
【発明の詳細な説明】
【技術分野】
【０００１】
本発明は、冷凍サイクルとタンク回路を備えたヒートポンプ式給湯機に関する。
【背景技術】
【０００２】
従来のヒートポンプ式給湯機として、冷凍サイクルとタンク回路を備えた「瞬間式ヒートポンプ給湯機」が商品化されている。例えば、非特許文献１に示された瞬間式ヒートポンプ給湯機（日立製：ＲＨＫ−２３ＢＡＶ）がある。図１０は、従来のヒートポンプ式給湯機の回路構成図、図１１は、図１０に示すヒートポンプ式給湯機の外観概略図である。
図１０に示すヒートポンプ式給湯機５０は、第１圧縮機５１，第１水−冷媒熱交換器５２，第１減圧弁５３，第１空気−冷媒熱交換器５４などで構成した第１冷凍サイクルと、第２圧縮機５６，第２水−冷媒熱交換器５７，第２減圧弁５８，第２空気−冷媒熱交換器５９などで構成した第２冷凍サイクルと、貯湯タンク６１，混合弁６２，電磁弁６３，給湯用循環ポンプ６４，風呂追炊き用循環ポンプ６５などで構成したタンク回路とを備え、２個の冷凍サイクルで湯を生成して蛇口や浴槽に直接給湯し、またはタンク回路から貯湯を給湯するものである。そして、このヒートポンプ式給湯機は、図１１に示すように、冷凍サイクルやタンク回路を全て一つのユニット内に収納した一体型で構成されている。
また、深夜電力を利用して安い電気代でお湯を沸かす給湯機として、貯湯式のヒートポンプ給湯機があるが、２個のユニットに分割されているものが一般的である。
【非特許文献１】週刊エアコン流通人２００３年５月１５日号（ＶＯＬ．２４−Ｎｏ．８９６）
【発明の開示】
【発明が解決しようとする課題】
【０００３】
しかしながら、上記従来のヒートポンプ式給湯機は、冷凍サイクルやタンク回路を全て一つのユニット内に収納した一体型で構成されているために、重量が重くなり、搬送性が悪い。また、本体高さ、幅、奥行きなどのユニットサイズが大きくなり、設置の自由度も少なく、場所によっては設置できない場合がある等の課題があった。
【０００４】
したがって本発明は、このような従来の課題を解決すものであり、ヒートポンプ式給湯機の搬送性と設置性の向上を図ることを目的とする。
【課題を解決するための手段】
【０００５】
請求項１記載の本発明のヒートポンプ式給湯機は、圧縮機，水−冷媒熱交換器，減圧弁，及び空気−冷媒熱交換器を環状に接続した冷媒回路に冷媒を充填して構成された冷凍サイクルを２回路有し、かつ、貯湯タンク，混合弁，電磁弁，及び循環ポンプを接続して構成されたタンク回路を具備したヒートポンプ式給湯機であって、２つの前記冷凍サイクルと前記タンク回路とを３個のユニットに分割して構成したことを特徴とする。
請求項２記載の本発明は、請求項１に記載のヒートポンプ式給湯機において、３個の前記ユニットを、一方の前記冷凍サイクルを収納した第１のユニットと、他方の前記冷凍サイクルを収納した第２のユニットと、前記タンク回路を収納した第３のユニットとで構成したことを特徴とする。
請求項３記載の本発明は、請求項１または請求項２に記載のヒートポンプ式給湯機において、３個の前記ユニットを、一体化して設置可能とする構造にしたことを特徴とする。
請求項４記載の本発明は、請求項３に記載のヒートポンプ式給湯機において、３個の前記ユニットを、積重ねて設置可能とする構造にしたことを特徴とする。
請求項５記載の本発明は、請求項４に記載のヒートポンプ式給湯機において、３個の前記ユニットのうち前記タンク回路を収納したユニットを、最下段に配置可能とする構造にしたことを特徴とする。
請求項６記載の本発明は、請求項３に記載のヒートポンプ式給湯機において、３個の前記ユニットのうち前記タンク回路を収納したユニットを、縦置き設置または横置き設置可能とする構造にしたことを特徴とする。
請求項７記載の本発明は、請求項１から請求項６のいずれかに記載のヒートポンプ式給湯機において、タンク回路を収納したユニットを、増設設置できる構造としたことを特徴とする。
請求項８記載の本発明は、請求項１から請求項７のいずれかに記載のヒートポンプ式給湯機において、前記冷媒として二酸化炭素を充填したことを特徴とする。
【発明の効果】
【０００６】
本発明は、給湯機本体を３個のユニットに分割するものであり、この構成によれば、一つ一つのユニットを小型軽量化でき、搬送性や設置性の向上を図ることができる。
また、本発明は、給湯機本体を、それぞれの冷凍サイクルを収納する２個のユニットとタンク回路を収納する１個のユニットに３分割したものであり、この構成によれば、一つ一つのユニットを小型軽量化でき、搬送性や設置性の向上を図ることができる。また、２個の冷凍サイクルをそれぞれに分割するので、設置時においては冷媒配管の接続をなくすことができ、作業性向上を図ることができる。
また、本発明は、給湯機本体を３個のユニットに分割し、３個のユニットを一体化して設置可能とする構造にしたものであり、この構成によれば、３個のユニットを一体化して設置可能とすることによって、分離設置や一体化設置など、設置の自由度の向上を図ることができる。
また、本発明は、給湯機本体を３個のユニットに分割し、３個のユニットの積重ね設置を可能とする構造にしたものであり、この構成によれば、３個のユニットの積重ね設置を可能とすることによって、分離設置や一体化設置など、設置の自由度の向上を図ることができる。
また、本発明は、給湯機を３個のユニットに分割し、そのうちのタンク回路のユニットを最下段に配置可能とする構造にしたものであり、この構成によれば、タンク回路のユニットを最下段に配置することによって、使用時において最も重量がある貯湯タンクを最下部に設置でき、本体の安定性の向上を図ることができる。
また、本発明は、給湯機を３個のユニットに分割し、そのうちのタンク回路のユニットを、縦置き設置または横置き設置可能とする構造にしたものであり、この構成によれば、タンク回路のユニットの縦置き設置または横置き設置を可能とすることによって、分離設置や一体化設置など、設置の自由度の向上を図ることができる。
また、本発明は、給湯機を３個のユニットに分割し、そのうちのタンク回路のユニットを複数個増設できる構造としたものであり、この構成によって、タンクの容量を変更できるので、家の大きさ、家族の数などによる種々のお湯の使用状況に対応してタンク容量を変更でき、立ち上がり時の湯切れ防止を図ることができる。
また、本発明は、３個のユニットに分割したヒートポンプ式給湯機に、冷凍サイクルに冷媒として二酸化炭素を充填したものであり、この構成によれば、二酸化炭素を充填することによって、搬送性、設置性がよく、かつ、地球環境に優しい給湯機を提供することができる。
【発明を実施するための最良の形態】
【０００７】
本発明の第１の実施の形態によるヒートポンプ式給湯機は、ヒートポンプ式給湯機を３個のユニットに分割したものである。本実施の形態によれば、３分割することによって一つ一つのユニットを小型軽量化できるので、搬送性や設置性の向上を図ることができる。
本発明の第２の実施の形態は、第１の実施の形態によるヒートポンプ式給湯機において、３個のユニットを、一方の冷凍サイクルを収納した第１のユニットと、他方の冷凍サイクルを収納した第２のユニットと、タンク回路を収納した第３のユニットとにしたものである。本実施の形態によれば、３分割することによって一つ一つのユニットを小型軽量化でき、搬送性や設置性の向上を図ることができる。さらに、２個の冷凍サイクルをそれぞれに分割するので、設置時における冷媒配管の接続がなく、水配管のみの接続とすることができるため作業性の向上を図ることができる。
本発明の第３の実施の形態は、第１または第２の実施の形態によるヒートポンプ式給湯機において、３個のユニットを、一体化して設置可能とする構造にしたものである。本実施の形態によれば、３個のユニットの一体化設置が可能になり、一体化設置や分離設置など、設置の自由度の向上を図ることができる。
本発明の第４の実施の形態は、第３の実施の形態によるヒートポンプ式給湯機において、３個のユニットを、積重ねて設置可能とする構造にしたものである。本実施の形態によれば、３個のユニットの積重ね設置が可能になり、設置の自由度の向上を図ることができる。
本発明の第５の実施の形態は、第４の実施の形態によるヒートポンプ式給湯機において、３個のユニットのうちタンク回路を収納したユニットを、最下段に配置可能とする構造にしたものである。本実施の形態によれば、最も重量があるタンク回路のユニットを使用時において最下部に設置できるので、本体の安定性の向上を図ることができる。
本発明の第６の実施の形態は、第３の実施の形態によるヒートポンプ式給湯機において、３個のユニットのうちタンク回路を収納したユニットを、縦置き設置または横置き設置可能とする構造にしたものである。本実施の形態によれば、タンク回路のユニットの縦置き設置または横置き設置が可能となり、設置の自由度の向上を図ることができる。
本発明の第７の実施の形態は、第１から第６の実施の形態によるヒートポンプ式給湯機において、３個のユニットのうちタンク回路を収納したユニットを、複数個増設できる構造としたものである。本実施の形態によれば、タンクの容量を変更できるので、家の大きさや家族の数など、種々のお湯の使用状況に対応でき、立ち上がり時の湯切れ防止を図ることができる。なお、本実施の形態による立ち上がり時の湯切れ防止は、瞬間式だけでなく貯湯式の給湯機に対しても図ることができる。
本発明の第８の実施の形態は、第１から第７の実施の形態によるヒートポンプ式給湯機において、冷凍サイクルに冷媒として二酸化炭素を充填したものである。本実施の形態によれば、二酸化炭素を充填することによって、搬送性と設置性が良く、かつ、地球環境に優しいヒートポンプ式給湯機を提供することができる。
【実施例１】
【０００８】
図１は、本発明による第１の実施例のヒートポンプ式給湯機を示す回路構成図、図２は、図１に示すヒートポンプ式給湯機を３個のユニットに分割した外観図である。
図１に示す第１の実施例のヒートポンプ式給湯機は、第１圧縮機１，第１水−冷媒熱交換器２，第１減圧弁３，第１空気−冷媒熱交換器４を環状に接続した冷媒回路に冷媒を充填して構成された第１冷凍サイクルを有し、同様に、第２圧縮機６，第２水−冷媒熱交換器７，第２減圧弁８，第２空気−冷媒熱交換器９を環状に接続した冷媒回路に冷媒を充填して構成された第２冷凍サイクルを有している。また、貯湯タンク１１，混合弁１２，電磁弁１３，給湯用循環ポンプ１４，風呂追炊き用循環ポンプ１５を接続して構成されたタンク回路を具備している。なお、第１水−冷媒熱交換器２及び第２水−冷媒熱交換器７は凝縮器として、第１空気−冷媒熱交換器４及び第２空気−冷媒熱交換器９は蒸発器として機能する。
ここで、本実施例のヒートポンプ式給湯機は、第１圧縮機１，第２圧縮機６，第１減圧弁３，第２減圧弁８，第１空気−冷媒熱交換器４，第２空気−冷媒熱交換器９，第１送風機５，第２送風機１０，冷媒配管から構成された第１のユニット２１と、第１水−冷媒熱交換器２，第２水−冷媒熱交換器７，冷媒及び給湯配管から構成された第２のユニット２２と、貯湯タンク１１，混合弁１２，電磁弁１３，給湯用循環ポンプ１４，風呂追炊き用循環ポンプ１５，給湯配管などから構成された第３のユニット２３との、３個のユニットに分割されている。
そして、図２に示すように、本実施例のヒートポンプ式給湯機は、設置時に、第１のユニット２１と第２のユニット２２とを冷媒配管群４５で接続し、第２のユニット２２と第３のユニット２３とを給湯配管群４６で接続する分離設置の構成となっている。
【０００９】
上記ヒートポンプ式給湯機の動作は、次のとおりである。
まず、給水を給湯する場合には、蛇口４３を開けて、第１冷凍サイクルの第１圧縮機１、第２冷凍サイクルの第２圧縮機６及び給湯用循環ポンプ１４を運転して、給湯を開始する。第１冷凍サイクルでは、第１圧縮機１で圧縮された冷媒は、第１水−冷媒熱交換器２に流入し、ここで給湯用循環ポンプ１４にて送られた水に放熱する。第１水−冷媒熱交換器２で放熱して凝縮した液冷媒は、第１減圧弁３に流入して膨張し、第１空気−冷媒熱交換器４で第１送風機５にて送られた空気と熱交換して蒸発し、ガス冷媒となる。このガス冷媒は、第１圧縮機１に吸入されて再び圧縮される。
同様に、第２冷凍サイクルでは、第２圧縮機６で圧縮された冷媒は、第２水−冷媒熱交換器７に流入し、ここで給湯用循環ポンプ１４から送られた水に放熱する。第２水−冷媒熱交換器７で放熱して凝縮した液冷媒は、第２減圧弁８に流入して膨張し、第２空気−冷媒熱交換器９で第２送風機１０にて送られた空気と熱交換して蒸発し、ガス冷媒となる。このガス冷媒は、第２圧縮機６に吸入され再び圧縮される。
そして、第１水−冷媒熱交換器２及び第２水−冷媒熱交換器７で水を加熱して湯を生成し、この湯を給湯側に切り換えられた混合弁１２と電磁弁１３を介して、蛇口４３から給湯する。蛇口４３を閉じて、第１圧縮機１や第２圧縮機６などを停止し、給湯を終了する。
【００１０】
一方、貯湯タンク１１に貯湯する場合には、第１冷凍サイクル、第２冷凍サイクル及び給湯用循環ポンプ１４を運転し、上記直接給湯の場合と同様に、第１水−冷媒熱交換器２及び第２水−冷媒熱交換器７で水を加熱して湯を生成し、この湯を貯湯側に切り換えられた混合弁１２を介して、貯湯タンク１１に貯湯する。
また、貯湯タンク１１の湯を出湯する場合には、第１冷凍サイクル、第２冷凍サイクル及び給湯用循環ポンプ１４を停止し、混合弁１２を切り換えて、貯湯タンク１１の湯を蛇口４３から出湯する。この場合、給水は、貯湯タンク１１の下部より水圧で流入し、湯を貯湯タンク１１の上部から押し出すことになる。
更に、風呂の追い炊きをする場合には、第１冷凍サイクル及び風呂追炊き用循環ポンプ１５を運転し、第１冷凍サイクルの第１水−冷媒熱交換器２で風呂追炊き用循環ポンプ１５から送られた水を加熱して湯を生成し、この湯を浴槽４４に給湯して追い炊きをする。
【００１１】
本実施例によれば、給湯機本体を３個のユニットに分割することによって、個々のユニットを小型軽量化することができ、ヒートポンプ式給湯機の搬送性や設置性の向上を図ることができる。
【実施例２】
【００１２】
図３は、本発明による第２の実施例のヒートポンプ式給湯機を示す回路構成図であり、図４は、図３に示すヒートポンプ式給湯機の外観図である。
図３に示す第２の実施例のヒートポンプ式給湯機は、第１の実施例と同様に、第１冷凍サイクルと、第２冷凍サイクルとを有し、タンク回路を具備した構成である。
そして、本実施例のヒートポンプ式給湯機は、第１圧縮機１，第１水−冷媒熱交換器２，第１減圧弁３，第１空気−冷媒熱交換器４，第１送風機５，接続配管などから構成される第１冷凍サイクルを収納した第１のユニット３１と、第２圧縮機６，第２水−冷媒熱交換器７，第２減圧弁８，第２空気−冷媒熱交換器９，第２送風機１０，接続配管などから構成される第２冷凍サイクルを収納した第２のユニット３２と、貯湯タンク１１，混合弁１２，電磁弁１３，給湯用循環ポンプ１４，風呂追炊き用循環ポンプ１５，接続配管などから構成されるタンク回路を収納した第３のユニット３３との、３個のユニットに分割されている。
また、図４に示すように、本実施例のヒートポンプ式給湯機は、設置時に、第１のユニット３１と第２のユニット３２とを給湯配管４７で接続し、第１のユニット３１と第３のユニット３３とを給湯配管群４８で接続し、第２のユニット３２と第３のユニット３３とを給湯配管群４９で接続する分離設置の構成となっている。
なお、本実施例のヒートポンプ式給湯機の動作は、第１の実施例と同じであり、その説明を省略する。
本実施例によれば、給湯機本体を３個のユニットに分割することによって、個々のユニットを小型軽量化することができ、ヒートポンプ式給湯機の搬送性や設置性の向上を図ることができる。また、本実施例では、第１の実施例のように冷凍サイクルを分断することなく、２個の冷凍サイクルをそれぞれ独立してユニットに収納することにより、設置時における冷媒配管の接続をなくすことができ、作業性の向上を図ることができる。
【実施例３】
【００１３】
図５は、本発明による第３の実施例のヒートポンプ式給湯機を示す外観図である。
第３の実施例のヒートポンプ式給湯機は、その主たる構成と動作が第２の実施例と同じであり、それらの詳細説明を省略し、本実施例の特徴について説明する。
即ち、図５に示す第３の実施例のヒートポンプ式給湯機３４は、第１冷凍サイクルから構成される第１のユニット３１と、第２冷凍サイクルから構成される第２のユニット３２と、貯湯タンク１１などから構成される第３のユニット３３とに分割し、かつ、これらの３個のユニットを一体化して設置可能とする構造にしたものである。
本実施例によれば、給湯機本体を３個のユニットに分割し、３個のユニットを一体化して設置することができるので、一体化設置や分離設置など、設置の自由度の向上を図ることができる。
なお、一体化設置としては、本実施例のように縦置きと横置きを組み合わせた設置以外に、後述の第４及び第５の実施例のように縦に積重ねた縦置き設置と、第６の実施例のように横に並べた横置き設置がある。
また、本実施例の一体化設置の効果等については、第２の実施例の構成で説明したが前述第１の実施例の構成にも適用され、以下の第４から第７の実施例も同様である。
【実施例４】
【００１４】
図６は、本発明による第４の実施例のヒートポンプ式給湯機を示す外観図である。
第４の実施例のヒートポンプ式給湯機は、その主たる構成と動作は第２の実施例と同じであり、それらの詳細説明は省略し、本実施例の特徴について説明する。
即ち、図６に示す第４の実施例のヒートポンプ式給湯機３５は、第１冷凍サイクルから構成される第１のユニット３１と、第２冷凍サイクルから構成される第２のユニット３２と、貯湯タンク１１などから構成される第３のユニット３３とに分割し、かつ、これらの３個のユニットを積重ねて一体化する設置を可能とする構造にしたものである。
本第４の実施例によれば、３個のユニットを積重ねて設置することができるので、一体化設置や分離設置など、設置の自由度の向上を図ることができる。
【実施例５】
【００１５】
図７は、本発明による第５の実施例のヒートポンプ式給湯機を示す外観図である。
第５の実施例のヒートポンプ式給湯機は、その主たる構成と動作は第２の実施例と同じであり、それらの詳細説明は省略し、本実施例の特徴について説明する。
即ち、図７に示す第５の実施例のヒートポンプ式給湯機３６は、第１冷凍サイクルから構成される第１のユニット３１と、第２冷凍サイクルから構成される第２のユニット３２と、貯湯タンク１１などから構成される第３のユニット３３とに分割し、かつ、これらの３個のユニットを積重ねて一体化する設置を可能とする構造にし、さらに第３のユニット３３を最下段に配置可能とする構造にしたものである。
本実施例によれば、第３のユニット３３を最下段に配置することによって、使用時において最も重量がある貯湯タンク１１を最下部に設置することができるので、本体の安定性の向上を図ることができる。
【実施例６】
【００１６】
図８は、本発明による第６の実施例のヒートポンプ式給湯機を示す外観図であり、図８(ａ)は、横置き設置を示し、図８(ｂ)は、縦置き設置を示している。
第６の実施例のヒートポンプ式給湯機は、その主たる構成と動作が第２の実施例と同じであり、それらの詳細説明を省略し、本実施例の特徴について説明する。
即ち、第６の実施例のヒートポンプ式給湯機は、第１冷凍サイクルから構成される第１のユニット３１と、第２冷凍サイクルから構成される第２のユニット３２と、貯湯タンク１１などから構成される第３のユニット３３とに分割した３個のユニットのうち、図８(ａ)に示すヒートポンプ式給湯機３７ａでは、第３のユニット３３を縦置き設置可能とする構造にしたものであり、また、図８(ｂ)に示すヒートポンプ式給湯機３７ｂでは、第３のユニット３３を横置き設置可能とする構造にしたものである。
本実施例によれば、第３のユニット３３の縦置き設置または横置き設置ができるので、一体化設置や分離設置など、設置の自由度の向上を図ることができる。
【実施例７】
【００１７】
図９は、本発明による第７の実施例のヒートポンプ式給湯機を示す外観図である。
第７の実施例のヒートポンプ式給湯機は、その主たる構成と動作が第２の実施例と同じであり、それらの詳細説明を省略し、本実施例の特徴について説明する。
即ち、図９に示す第７の実施例のヒートポンプ式給湯機４０は、第１冷凍サイクルから構成される第１のユニット３１と、第２冷凍サイクルから構成される第２のユニット３２と、貯湯タンク１１などから構成したタンク回路を収納する第３のユニット３３と、第２貯湯タンク３８などから構成した第２タンク回路（図示せず）を収納する第４のユニット３９とに分割し、かつ、４個のユニットの一体化設置を可能とする構造にしたものである。換言すれば、タンク回路を収納するユニットを複数個増設できる構造としたものである。
本実施例によれば、家の大きさ、家族の数などによる種々の湯の使用状況に対応してタンク容量を変更でき、立ち上がり時の湯切れ防止を図ることができる。
【実施例８】
【００１８】
本発明による第８の実施例のヒートポンプ式給湯機は、３個のユニットに分割したヒートポンプ式給湯機の冷凍サイクルに、冷媒として二酸化炭素を充填したものである（図示せず）。本実施例によれば、３個のユニットに分割して二酸化炭素を充填することによって、搬送性や設置性が良く、かつ、地球環境に優しい給湯機を提供することができる。
【産業上の利用可能性】
【００１９】
以上のように、本発明は、冷凍サイクルを利用して湯を生成し、生成した湯を給湯するヒートポンプ式給湯機に適用され、例えば、家庭用の瞬間式給湯機や、貯湯式給湯機などに適している。
【図面の簡単な説明】
【００２０】
【図１】本発明による第１の実施例のヒートポンプ式給湯機を示す回路構成図
【図２】図１に示すヒートポンプ式給湯機を３個のユニットに分割した外観図
【図３】本発明による第２の実施例のヒートポンプ式給湯機を示す回路構成図
【図４】図３に示すヒートポンプ式給湯機の外観図
【図５】本発明による第３の実施例のヒートポンプ式給湯機を示す外観図
【図６】本発明による第４の実施例のヒートポンプ式給湯機を示す外観図
【図７】本発明による第５の実施例のヒートポンプ式給湯機を示す外観図
【図８】本発明による第６の実施例のヒートポンプ式給湯機を示す外観図
【図９】本発明による第７の実施例のヒートポンプ式給湯機を示す外観図
【図１０】従来のヒートポンプ式給湯機を示す回路構成図
【図１１】図１０に示すヒートポンプ式給湯機の外観図
【符号の説明】
【００２１】
１，５１  第１圧縮機
２，５２  第１水−冷媒熱交換器
３，５３  第１減圧弁
４，５４  第１空気−冷媒熱交換器
５        第１送風機
６，５６  第２圧縮機
７，５７  第２水−冷媒熱交換器
８，５８  第２減圧弁
９，５９  第２空気−冷媒熱交換器
１０        第２送風機
１１，６１    貯湯タンク
１２，６２  混合弁
１３，６３  電磁弁
１４，６４  給湯用循環ポンプ
１５，６５  風呂追炊き用循環ポンプ
２１，３１  第１のユニット
２２，３２  第２のユニット
２３，３３  第３のユニット
３４，３５，３６，３７ａ，３７ｂ，４０，５０  ヒートポンプ式給湯機
３８        第２貯湯タンク
３９        第４のユニット
４３        蛇口
４４        浴槽
４５        冷媒配管群
４６，４８，４９  給湯配管群
４７        給湯配管
【図１】
2005090815.tif 000003
【図２】
2005090815.tif 000004
【図３】
2005090815.tif 000005
【図４】
2005090815.tif 000006
【図５】
2005090815.tif 000007
【図６】
2005090815.tif 000008
【図７】
2005090815.tif 000009
【図８】
2005090815.tif 000010
【図９】
2005090815.tif 000011
【図１０】
2005090815.tif 000012
【図１１】
2005090815.tif 000013